(57)【特許請求の範囲】
【請求項１】
可撓性を有する外容器と内容物を収容する内袋とからなり、外容器と内袋との間に空間部を有すると共に、口頸部に該空間部と連通する通気孔が形成された二重容器に装着される二重容器用キャップであって、
流出口を有し前記二重容器の口頸部に嵌着固定される本体キャップと、吐出口を有し前記本体キャップに対してスライド移動可能に係着されるノズルキャップとからなり、
且つ前記流出口から前記吐出口に至る内容物の流通路を前記ノズルキャップの前記本体キャップに対するスライド移動により開閉する流通路開閉手段と、前記通気孔から前記二重容器の外側外気に至る通気路を前記スライド移動により開閉する通気路開閉手段とを備え、
前記流通路を遮断すると共に前記通気路を開放した状態と、前記流通路を開放すると共に前記通気路を遮断した状態とを前記スライド移動によって切り替える二重容器用キャップ。
【請求項２】
前記内袋に収容される内容物は、分解してガスを発生する成分を含む内容物であり、前記内袋は、前記内容物の分解成分による分解ガスに対して透過性を有する請求項１記載の二重容器用キャップ。
【請求項３】
前記通気路は、前記本体キャップによって覆われた前記通気孔から前記本体キャップを経て前記外側外気に至り、前記通気路開閉手段は、前記スライド移動により、前記本体キャップの外周面に対する前記ノズルキャップの下端内周面の密着状態と遊嵌状態とを切り替えて前記通気路を開閉する請求項１又は２に記載の二重容器用キャップ。
【請求項４】
前記通気路は、前記通気孔を前記本体キャップの下方に設けて該通気孔を介して直接外側外気に至り、前記通気路開閉手段は、前記スライド移動により、前記通気孔の下方における前記口頸部の外周面に対する前記ノズルキャップの下端内周面の密着状態を切り替えることにより、前記通気路を開閉する請求項１又は２に記載の二重容器用キャップ。
【発明の詳細な説明】
【０００１】
【発明の属する技術分野】
本発明は、可撓性を有する外容器と内容物を収容する内袋とからなり、外容器と内袋との間に空間部を有する二重容器に装着される二重容器用キャップに関する。
【０００２】
【従来の技術及び発明が解決しようとする課題】
可撓性を有する外容器と内容物を収容する内袋とからなり、外容器と内袋との間に空間部を有す二重容器は、内容物の使用によりその容積が減少しても内袋のみを変形させて、外容器の外形形状を保持することができる。
【０００３】
このような二重容器は、例えば分解してガスを発生する成分を含む内容物を収容している場合には、その保管時に分解ガスによって容器が膨張し、破損するおそれがあるので、容器の内部と外側外気とを連通する通気路を設けて発生した分解ガスを排除する必要がある。また、容器の保管時においては、通気路を介して空間部の通気を図ることが好ましい。
【０００４】
一方、かかる二重容器を使用する場合には、通気路を遮断して空間部内の空気やガスを逃がすことなく保持し、外容器に加えられた押圧力がそのまま内袋に伝わるようにして、内容物を容器に取り付けたキャップの先端から吐出させる必要がある。
【０００５】
本発明は、二重容器の保管時における空間部の通気と、二重容器の使用時における内容物の吐出を、簡単な切り替え操作によって行うことを可能にする二重容器用キャップの提供を目的とする。
【０００６】
【課題を解決するための手段】
本発明は、可撓性を有する外容器と内容物を収容する内袋とからなり、外容器と内袋との間に空間部を有すると共に、口頸部に該空間部と連通する通気孔が形成された二重容器に装着される二重容器用キャップであって、流出口を有し前記二重容器の口頸部に嵌着固定される本体キャップと、吐出口を有し前記本体キャップに対してスライド移動可能に係着されるノズルキャップとからなり、且つ前記流出口から前記吐出口に至る内容物の流通路を前記ノズルキャップの前記本体キャップに対するスライド移動により開閉する流通路開閉手段と、前記通気孔から前記二重容器の外側外気に至る通気路を前記スライド移動により開閉する通気路開閉手段とを備え、前記流通路を遮断すると共に前記通気路を開放した状態と、前記流通路を開放すると共に前記通気路を遮断した状態とを前記スライド移動によって切り替える二重容器用キャップを提供することにより、上記目的を達成したものである。
【０００７】
【発明の実施の形態】
本発明の好ましい第１実施形態に係る二重容器用キャップ１０は、図１に示すように、内容物として例えば染毛剤を収容する二重容器であるボトル本体１１の口頸部１５に装着されて用いられる。ボトル本体１１は、可撓性を有する外容器１３と染毛剤を収容する内袋１４とからなる積層剥離容器であって、外容器１３と内袋１４との間に空間部２０を有する。また、ボトル本体１１の口頸部１５には、空間部２０と連通する通気孔１２が形成されている。
【０００８】
外容器１３は、例えばポリエチレン製の略円筒状の容器であって、手で把持して押圧することにより、当該外容器１３を扁平に変形できる程度の可撓性を備える。また押圧状態を解除したときに元の略円筒状に自然に復元する程度の保形性を備える。外容器１３の上端突出部分は、外周面に雄ねじが形成された口頸部１５となっている。口頸部１５には、その略中間位置に通気孔１２が形成されている。
【０００９】
内袋１４は、例えば厚さ１００μｍ程度のポリスチレンからなる袋状の容器であって、外容器１３に形成された通気孔１２の直下部分を除いて外容器１３の内面に剥離可能に密着した状態で装着され、外容器１３と共に二重容器を構成する。通気孔１２の直下部分内側の非密着部は、外容器１３と内袋１４との間の空間部２０となっていて、この空間部２０は通気孔１２と連通している。
【００１０】
本第１実施形態によれば、内袋１４に収容される染毛剤は、Ｈ2 Ｏ2 の分解によりＯ2 を発生する成分を含むと共に、水分やアルコール分等の揮発性成分を含む。これに対し、染毛剤が収容されるポリスチレンによる内袋１４は、分解ガスであるＯ2 に対して透過率が測定温度２５゜Ｃのとき０．５〜５．０程度の相当の透過性を有している。なお、内袋１４の分解ガスに対する透過性能は、ＪＩＳＫ  ７１２６に規定するプラスチックフィルム及びシートの気体透過度試験方法におけるＡ法（差圧法）によって測定されたものである。
【００１１】
本第１実施形態の二重容器用キャップ１０は、図２（ａ）及び（ｂ）に示すように、染毛剤の流出口１６を有しボトル本体１１の口頸部１５に嵌着固定される本体キャップ１７と、染毛剤の吐出口１８を有し本体キャップ１７に対して上下にスライド移動可能に係着されるノズルキャップ１９とからなる。また、流出口１６から吐出口１８に至る染毛剤の流通路Ｓをノズルキャップ１９の本体キャップ１７に対するスライド移動により開閉する流通路開閉手段と、通気孔１２からボトル本体１１の外側外気に至る通気路Ｒをノズルキャップ１９の本体キャップ１７に対するスライド移動により開閉する通気路開閉手段とを備えている。そして、流通路Ｓを遮断すると共に通気路Ｒを開放した状態（（ａ））と、流通路Ｓを開放すると共に通気路Ｒを遮断した状態（（ｂ））とを、ノズルキャップ１９の上下のスライド移動によって切り替えることができるようになっている。
【００１２】
本体キャップ１７は、上端面が天面壁２１によって閉塞された円筒状の部材であって、その周壁部２２の内周面には雌ねじが形成されており、この雌ねじを口頸部１５の雄ねじに螺合するとこにより、口頸部１５に嵌着固定される。本体キャップ１７は、嵌着固定された状態において、その下端部内側面がボトル本体１１の口頸部１５の拡径された基端部２３の外周面に密着し、当該下端部内側面と基端部２３の外周面との間の通気を遮断する。また、天面壁２１の内側面に突出して設けられたインナーリング２４が、口頸部１５の上端開口に沿って挿入配置される。
【００１３】
本体キャップ１７の天面壁２１の外側面には、その中心部分に流通路開閉手段を構成する吐出口開閉ロッド２５が上方に突出して設けられており、またこの吐出口開閉ロッド２５の周囲を囲んで当該吐出口開閉ロッド２５と同心状に配置された環状案内壁２６が上方に突出して形成されている。この環状案内壁２６は、後述するノズルキャップ１９の筒状壁３４及び環状挟持壁３５によって挟まれて、ノズルキャップ１９の上下のスライド移動を案内する。また、天面壁２１の外側面には、環状案内壁２６の周囲を囲んで環状係着壁２７が吐出口開閉ロッド２５と同心状に配置されて上方に突出して形成されている。環状係着壁２７の外周面には、環状湾曲凸面２８を挟んで下方環状深溝２９と上方環状浅溝３０が形成されている。さらに、吐出口開閉ロッド２５と環状案内壁２６の間に位置する天面壁２１には、染毛剤のボトル本体１１からの流出口１６が開口形成されている。さらにまた、環状係着壁２７には、当該環状係着壁２７を上下に貫通する導気孔３１が一カ所に開口形成されている。この導気孔３１は、本体キャップ１７が口頸部１５に嵌着固定された際に、通気孔１２の開口位置において雄ねじを上下に横切って口頸部１５の外側面に形成された導気溝３２と連通する。
【００１４】
ノズルキャップ１９は、三角錐形状を有し、その先端が吐出口１８として開口するとともに、その内側には、中央流路３３を形成する筒状壁３４が中央部分に設けられている。また、筒状壁３４の外側にはこれと同心状に環状挟持壁３５が設けられている。筒状壁３４と環状挟持壁３５は、本体キャップ１７の環状案内壁２６を挟み込むように配置され、本体キャップ１７に対して同心状態を保持したままノズルキャップ１９が上下にスライド移動するように案内する。また、筒状壁３４と環状挟持壁３５の下端には、当該下端に沿って環状案内壁２６側に突出する環状密着突起３９が設けられており、環状挟持壁３５及び筒状壁３４と環状案内壁２６との間の隙間を無くして染毛剤が通過するのを遮断し、容器の使用時に流出口１６からキャップ１０の内部に流出した染毛剤を、中央流路３３を経て吐出口１８にスムースに移動させる。
【００１５】
ノズルキャップ１９の下端開口縁部の内側面には、当該開口縁部に沿って通気路開閉突起３８が径方向内方に突出して円環状に設けられている。通気路開閉突起３８は、本体キャップ１７の環状係着壁２７の外周面に形成された下方環状深溝２９の外径よりもその内径が若干大きく、上方環状浅溝３０の外径よりもその内径が若干小さくなっている。従って、図３にも示すように、通気路開閉突起３８が環状係着壁２７の下方環状深溝２９に位置して、吐出口開閉ロッド２５が吐出口１８を閉塞している状態では、通気路開閉突起３８が下方環状深溝２９に遊嵌してその隙間を介した通気を確保し（図２（ａ）参照）、通気路開閉突起３８が環状係着壁２７の上方環状浅溝３０に位置して吐出口１８を開放している状態では、通気路開閉突起３８が上方環状浅溝３０に密着して通気を遮断できるようになっている（図２（ｂ）参照）。ここで、ノズルキャップ１９の通気路開閉突起３８と、本体キャップ１７の環状湾曲凸面２８を挟んだ下方環状深溝２９及び上方環状浅溝３０とは、本発明の通気路開閉手段を構成する。
【００１６】
本第１実施形態の二重容器用キャップ１０によれば、容器の保管時における空間部２０の通気と、容器の使用時における染毛剤の吐出を、ノズルキャップ１９を本体キャップ１７に対して上下にスライド移動させる簡単な切り替え操作によって行うことができる。
【００１７】
即ち、容器の保管時には、ノズルキャップ１９を本体キャップ１７に対して押し下げるようにして下方にスライド移動させれば、図２（ａ）に示すように、流出口１６から中央流路３３を経て吐出口１８に至る流通路はＳは、吐出口開閉ロッド２５の先端部分が吐出口１８に嵌合密着することにより遮断される。また、通気孔１２から導気溝３２及び導気孔３１を経てボトル本体１１の外側外気に至る通気路Ｒは、通気路開閉突起３８が下方環状深溝２９に遊嵌していることにより隙間が確保されて、開放された状態を保持する。
【００１８】
一方、容器の使用時には、通気路開閉突起３８が環状湾曲凸面２８を乗り越えるようにノズルキャップ１９を本体キャップ１７に対して上方にスライド移動させれば、図２（ｂ）に示すように、吐出口開閉ロッド２５が吐出口１８から下方に外れることにより流通路Ｓの閉塞状態が開放される。また、通気路開閉突起３８が上方環状浅溝３０に密着状態で係着することにより、通気路Ｒは外側外気に至る流路が遮断される。
【００１９】
図２（ａ）及び（ｂ）は、本発明の第２実施形態に係る二重容器用キャップ４０を示すものである。本第２実施形態の二重容器用キャップ４０は、染毛剤の流出口４１を有しボトル本体１１の口頸部１５に嵌着固定される本体キャップ４２と、染毛剤の吐出口４３を有し、本体キャップ４２に対してネジ山に沿って周方向にスライド回転することにより上下にスライド移動可能に係着されるノズルキャップ４４とからなる。
【００２０】
本体キャップ１７は、小径の上方円筒部４５と大径の下方円筒部４６からなり、上方円筒部４５の天面壁４７の上面中央から上方に立設して流通路開閉手段を構成する吐出口開閉ロッド４８が設けられている。吐出口開閉ロッド４８の基端部分は中空円錐部４９として拡幅しており、この中空円錐部４９の側面に流出口４１が開口すると共に、吐出口開閉ロッド４８の側面に沿って、流出口４１と接続した吐出案内溝５０が吐出口開閉ロッド４８の上端付近に至るまで上下方向に切り欠き形成されている。また下方円筒部４６の内周面には嵌着固定用リブが形成されており、この嵌着固定用リブを介して、本体キャップ１７は口頸部１５に嵌着固定される。さらに、下方円筒部４６の外周面には雄ねじ５１が形成されており、この雄ねじ５１には、ノズルキャップ４４の内周面に形成された雌ねじ５２が螺合される。さらにまた、上方円筒部４５の下方には、インナーリング５３が下方に突出して設けられている。
【００２１】
ノズルキャップ４４は、三角錐部５４の下方に円筒部５５が接続一体化した中空部材であって、円筒部５５の内周面には雌ねじ５２が形成されている。この雌ねじ５２は本体キャップ１７の雄ねじ５１に螺合され、これらのねじ山に沿ってノズルキャップ４４を本体キャップ４２に対して周方向にスライド回転することにより、上下にスライド移動させることができる。また、ノズルキャップ４４は、三角錐部５４の上端に吐出口４３が開口形成されていると共に、三角錐部５４の内側には、その内壁面の略中央部分から環状密着壁５６が垂下している。この環状密着壁５６は、ノズルキャップ４４の上下のスライド移動に伴ない、本体キャップ４２の上方円筒部４５の外側面に密着した状態で当該外側面に沿って摺動する。さらに、円筒部５５の下端開口縁部の内側面には、当該開口縁部に沿って通気路開閉突起５７が径方向内方に突出して円環状に設けられている。通気路開閉突起５７は、ノズルキャップ４４が本体キャップ４２に対して下方にスライド移動した際に、ボトル本体１１の口頸部１５の基端部２３の外周面に気密状態で密着する。ここで、通気路開閉突起５７と基端部２３は、本発明の通気路開閉手段を構成する。
【００２２】
本第２実施形態によれば、嵌着固定された本体キャップ４２の下方においてボトル本体１１の口頸部１５に通気孔５８が開口形成されていることにより、ノズルキャップ４４を本体キャップ４２に対して上方にスライド移動した際に、空間部２０から通気孔５８を介して直接外側外気に至る通気路Ｒ’が形成される。通気路Ｒ’は、ノズルキャップ４４が本体キャップ４２に対して下方にスライド移動すると、通気路開閉突起５７が口頸部１５の基端部２３の外周面に気密状態で密着することによって遮断される。
【００２３】
本第２実施形態の二重容器用キャップ４０もまた、容器の保管時における空間部２０の換気と、容器の使用時における染毛剤の吐出を、ノズルキャップ４４を本体キャップ４２に対して周方向にスライド回転させる簡単な切り替え操作によって行うことができる。
【００２４】
即ち、容器の保管時には、ノズルキャップ４４を本体キャップ４２に対して上方にスライド移動させる方向に回転させれば、図４（ａ）に示すように、流出口４１から吐出口４３に至る流通路はＳ’は、吐出口開閉ロッド４８の先端部分が吐出口４３に嵌合密着することにより遮断される。また、ノズルキャップ４４の通気路開閉突起５７がボトル本体１１の基端部２３から外れて上方に位置することにより、空間部２０から通気孔５８を介して直接外側外気に至る通気路Ｒ’が形成される。
【００２５】
一方、容器の使用時には、ノズルキャップ４４を本体キャップ４２に対して下方にスライド移動させる方向に回転させれば、図４（ｂ）に示すように、吐出口開閉ロッド４８の先端部分が吐出口４３から突出すると共に、吐出案内溝５０の先端部分が吐出口４３の上方に位置することにより、流出口４１から吐出案内溝５０を経て吐出口４３に至る流通路はＳ’が開放される。また、ノズルキャップ４４の通気路開閉突起５７がボトル本体１１の基端部２３の外周面に気密状態で密着することにより、空間部２０から通気孔５８を介して直接外側外気に至る通気路Ｒ’が遮断される。
【００２６】
なお、本発明は上記各実施形態に限定されることなく種々の変更が可能である。例えば、内袋に収容される内容物は、分解してガスを発生する成分を含む内容物である必要は必ずしもなく、また、内袋は、内容物の分解成分による分解ガスに対して透過性を有するものである必要は必ずしもない。さらに、流通路開閉手段及び通気路開閉手段として、その他の種々の構成のものを採用することができる。
【００２７】
【発明の効果】
本発明の二重容器用キャップによれば、二重容器の保管時における空間部の換気と、二重容器の使用時における内容物の吐出を、簡単な操作によって容易に切り替えて行うことができる。
【図面の簡単な説明】
【図１】本発明の第１実施形態に係る二重容器用キャップを装着した容器を示す断面図である。
【図２】（ａ）及び（ｂ）は、本発明の第１実施形態に係る二重容器用キャップを装着した容器の保管状態及び使用状態を示す要部断面図である。
【図３】本発明の第１実施形態に係る二重容器用キャップにおける通気路開閉手段を説明する図２（ａ）のＡ部拡大図である。
【図４】（ａ）及び（ｂ）は、本発明の第２実施形態に係る二重容器用キャップを装着した容器の保管状態及び使用状態を示す要部断面図である。
【符号の説明】
１０，４０  二重容器用キャップ
１１  ボトル本体（二重容器）
１２，５８  通気孔
１３  外容器
１４  内袋
１５  口頸部
１６，４１  流出口
１７，４２  本体キャップ
１８，４３  吐出口
１９，４４  ノズルキャップ
２０  空間部
２３  基端部（通気路開閉手段）
２５，４８  吐出口開閉ロッド（流通路開閉手段）
２６  環状案内壁
２７  環状係着壁
２８  環状湾曲凸面
２９  下方環状深溝（通気路開閉手段）
３０  上方環状浅溝（通気路開閉手段）
３１  導気孔
３２  導気溝
３３  中央流路
３４  筒状壁
３５  環状挟持壁
３８，５７  通気路開閉突起（通気路開閉手段）
４５  上方円筒部
４６  下方円筒部
５０  吐出案内溝
５１  雄ねじ
５２  雌ねじ
５４  三角錐部
５５  円筒部
５６  環状密着壁
５７  通気路開閉突起
Ｓ，Ｓ’  流通路
Ｒ，Ｒ’  通気路
【図１】
0004443013.tif 000002
【図２】
0004443013.tif 000003
【図３】
0004443013.tif 000004
【図４】
0004443013.tif 000005